(57)【特許請求の範囲】
【請求項１】
バンド本体の身体当接面側に、多数の磁石カプセルで構成される面状の磁石層を配置して成り、
前記面状磁石層は、上下に連結リングを備えた筒体内に円柱２極型永久磁石を嵌装して成る磁石カプセルを多数縦向きに並べ、前記多数の磁石カプセルを、その上側連結リングと下側連結リングのそれぞれに伸縮性連結糸を通すことによって連結したものであり、
装着時に前記伸縮性連結糸が伸びるに伴い、前記磁石カプセル同士が離れる箇所が不確定的に数箇所できるようにしたことを特徴とする磁気治療器。
【請求項２】
前記磁石層を複数列配設した請求項１に記載の磁気治療器。
【請求項３】
前記磁石層を前記ベルト本体に対し着脱可能にしたことを特徴とする請求項１又は２に記載の磁気治療器。
【請求項４】
前記磁石層が布製カバー内に挿入されて配置されることを特徴とする請求項１乃至３のいずれかに記載の磁気治療器。
【発明の詳細な説明】
【０００１】
【発明の属する技術分野】
本発明は磁気治療器、より詳細には、磁石の取付方法及び配置方法に特徴を有していて、腰痛対策用のウエスト用磁気ベルト等として好適な磁気治療器に関するものである。
【０００２】
【従来の技術】
従来、腰痛、膝痛等の予防、治療をするための、磁石を組み込んだ磁気バンドとして種々のものが出回っている。それらは、バンドに埋め込んだ磁石によって指圧効果や血行促進を図り、腰痛等の予防、治療を行うものである。
【０００３】
これら従来の磁気バンドの多くは、指圧効果や血行促進効果を与える磁石をバンド等に埋め込み、磁石が移動しないように固定しているため、磁力線の生ずる方向及び位置が予め定まっているので、使用者の欲する箇所、即ち腰等で痛みを感じる患部に、磁石が接触しないという場合が生ずる。
【０００４】
また、磁石の位置を任意に変えることが可能なウエスト用磁気バンドもあるが、実際に患部の位置を確認しながら磁石の位置を変える作業は面倒である。
【０００５】
【発明が解決しようとする課題】
従来の磁気治療器にはこのような欠点があったので、本発明はそのような欠点のない、即ち、腰部や腹部に幅広く磁気作用を及ぼすことができ、磁石の面倒な位置決め作業が不要な磁気治療器を提供することを課題とする。
【０００６】
【課題を解決するための手段】
本発明は、バンド本体の身体当接面側に多数の磁石カプセルを並列させて成る磁石層を配置したことを特徴とする磁気治療器、を以て上記課題を解決した。好ましくは、前記磁石層は、前記磁石カプセルが上下に連結リングを備えていて、そこに連結糸を通すことによって多数の磁石カプセルが縦向きになって連結されて構成される。
【０００７】
【発明の実施の形態】
本発明の実施の形態を添付図面に依拠して説明する。図１は本発明に係る磁気治療器をウエスト用磁気バンドとして構成した場合の斜視図である。図中１はバンド本体で、吸湿性があって適度な湿度を保ち、また、日常の動作や運動時にズレることなくフィットするような伸縮性、弾力性を有するものとする。そのために、例えば、ポリエステル及びポリウレタン製の表生地、ウレタン製の中材、綿製の裏生地（身体当接面側）の３層構造とする。
【０００８】
バンド本体１の裏生地２側の長手方向両端又は一方端に、面テープ等の止着手段３を設け、この止着手段３を反対側端部の、表生地面の任意の位置に止着可能にする。
【０００９】
バンド本体１の身体当接面側である裏生地２面に、磁石層４が着脱可能状態に装着される。磁石層４は、図２に示すように多数の磁石カプセル５を面状に並べて、一枚の板状に構成したものである。これをより詳細に説明すると、磁石カプセル５は、上下に連結リング７を設けた、例えば円筒状、楕円筒状又は六角その他の多角筒状の通例ステンレス製筒体６内に、円柱２極型の永久磁石８を嵌装したものである（図４参照）。この磁石カプセル５を並べ、連結リング７にナイロン糸等の丈夫で、好ましくは伸縮性のある連結糸９を通すことによって全体を板状に構成する。
【００１０】
連結糸９を伸縮性のあるものとした場合は、装着時に連結糸９が伸びるに伴い、磁石カプセル５同志が離れる個所が数個所でき、しかもその離れる個所は決まっていないため、磁力線の表われ方も変則的なものとなる。その結果、身体に対して磁気が広範囲且つ立体的に作用し、身体の深部にまで十分な磁気効果が得られる。
【００１１】
通例連結糸９の端部は、金具１０に止着する。そのためには例えば、連結糸９の端部に結び目を作ったり、金属部材を固定したりして、その部分を金具１０に設けた係止孔１６に係止させるようにする。金具１０には、ループ９ａを配備する。ループ９ａは普通、連結糸９と別体であるが、一連のものであってもよい。
【００１２】
磁石層４は裏生地２に対し脱着可能に取り付けられる。図示した例では、裏生地２の両端部に適宜大きさの面テープ１１が縫着され、面テープ１１の中程にホック１２が取り付けられる。一方、面テープ１１に対応する面テープ要素を備えると共に、ホック１２に対応するホック１２ａを備えた被装材１３が用意される。磁石層４の脱着に際しては、被装材１３を面テープ１１から外し、ホック１２に、上記ループ９ａを装着時には掛け、取り外すときは、ループ９ａを外す。
【００１３】
このように、各磁石カプセル５を縦向きにして連結して磁石層４を構成した場合は、磁石層４の横方向への伸縮が自在となり、また、上下方向の保形力が大となって、腰部や腹部に対するサポート力が増大し、密着性が良好となる。
【００１４】
図２及び図３（Ａ）に示した例では磁石層４は２列となっているが、１列であってもよいし、３列（図３（Ｂ））又はそれ以上であってもよい。複数列とする場合は、図２に示すように連結糸９は各列において独立のものとしてもよいし、図３（Ａ）、（Ｂ）に示すように１本の連結糸９を隣り合う２列で共用してもよい。
【００１５】
磁石層４は、露出させた状態で直接身体に当接させることとしてもよいし、横長の布製カバー１４内に挿入した状態で身体に当接させることとしてもよい。好ましくは、磁石層４とバンド本体１との一体性を高めてズレや弛みを防止するために、裏生地２に止め輪１５を適宜間隔置きに配置し、そこに磁石層４を挿通するようにする。
【００１６】
【発明の効果】
本発明は上述した通りであって、多数の磁石カプセルで構成される磁石層が身体に面接触状態に当接するため、当接面全体に漏れなく磁気が作用し、以て血行が促進されて腰痛等の痛みが解除される。また、バンド本体のストレッチ性、弾力性が高いために身体にフィットし、日常の動作はもちろん、運動時にも使用可能である。
【００１７】
殊に、連結糸に伸縮性を持たせた場合には、上述したようにカプセル同志が離れる個所が不確定的に生ずることに起因して変則的に発生する磁力線の作用で、身体深部にまで十分な磁気効果が発現する。
【００１８】
また、磁石カプセルの筒体を構成するステンレスのイオン化傾向のために得られる生体電流の調整効果と、磁石による血行促進の相乗効果により自律神経のバランスが整えられ、更にカプセルの凹凸でツボの刺激作用がプラスされることにより、交感神経の緊張が抑制され、副交感神経とのバランスが回復し、以て不快症状が解消して健康が維持されると考えられる。
【図面の簡単な説明】
【図１】本発明に係る磁気治療器をウエスト用磁気バンドとして構成した場合の斜視図である。
【図２】本発明に係る磁気治療器における磁石層の取付方法を示す図である。
【図３】磁石層を複数列設ける場合の構成例を示す図である。
【図４】本発明に係る磁気治療器における磁気カプセルを示す図である。
【符号の説明】
１  バンド本体
２  裏生地
３  止着手段
４  磁石層
５  磁石カプセル
６  筒体
７  連結リング
８  永久磁石
９  連結糸
１１  面テープ
１２  ホック
１２ａ  ホック
１３  被装材
１４  布製カバー
１５  止め輪
【図１】
0004347463.tif 000002
【図２】
0004347463.tif 000003
【図３】
0004347463.tif 000004
【図４】
0004347463.tif 000005